(57)【要約】 【課題】  美観が良好であり、かつ風合いが良好であるラッセルストレッチレース編地および編レース製品を提供する。【解決手段】  鎖編糸２１と伸縮糸２３との交差部５０の一部、鎖編糸２１同士の交差部５５の一部が接着され、格子の歪みが防がれる。これによって美観の良好なレース編地が得られ、しかもその優れた美観を長期にわたって保つことができる。しかもレース編地２０全体に編込まれる鎖編糸２１の接着性を利用しているので、視覚的および触覚的に統一性が得られ、美観および風合いが損なわれることはない。また全ての交差部５０，５５が接着される場合のように、伸縮性および柔軟性が損なわれてしまうことがない。このように美観が良好でありかつ風合いが良好である、伸縮性のレース編地２０が得られる。【選択図】      図１
2008280627.tif 000002
【特許請求の範囲】
【請求項１】
複数のループ状部分を有するラッセル編の鎖編組織を形成する鎖編糸と、
弾発的に伸縮する伸縮性を有し、鎖編組織に編込まれて鎖編組織に伸縮性を与えるための伸縮糸を備え、
前記伸縮糸は、鎖編糸との交差部の一部で、鎖編糸の接着性を利用して鎖編糸と接着される伸縮糸とを備えることを特徴とするラッセルストレッチレース編地。
【請求項２】
鎖編糸同士の交差部の一部が、鎖編糸の接着性を利用して互いに接着されていることを特徴とする請求項１に記載のラッセルストレッチレース編地。
【請求項３】
鎖編糸と伸縮糸との交差部の接着率が、鎖編糸同士の交差部の接着率より高いことを特徴とする請求項２に記載のラッセルストレッチレース編地。
【請求項４】
鎖編糸は、溶融温度の低い材料から成る繊維を含む糸であることを特徴とする請求項１〜３のいずれか１つに記載のラッセルストレッチレース編地。
【請求項５】
請求項１〜４のいずれか１つに記載のラッセルストレッチレース編地を用いて製造されることを特徴とする編レース製品。
【発明の詳細な説明】
【技術分野】
【０００１】
本発明は、ラッセルストレッチレース編地および編レース製品に関する。
【背景技術】
【０００２】
従来技術のレース編地が、たとえば特許文献１に開示される。このレース編地は、カバーリング糸が、スカラップ部分に編込まれている。カバーリング糸は、熱溶融性を有する芯糸と、熱可塑性合成繊維糸である被覆糸から成る。編成後にレース編地を加熱することで、カバーリング糸のうちの、芯糸の一部が溶融し、溶融物が被覆糸の間から滲出してくる。そしてこの溶融物が、隣接する他の糸を接着するようにして固化する。これによって編レース製品のうちで、スカラップ部分におけるほつれを防止している。
【０００３】
【特許文献１】特開平１１−８１０７３号公報
【発明の開示】
【発明が解決しようとする課題】
【０００４】
従来技術のレース編地では、スカラップ部分にのみ、熱接着糸が編込まれ、スカラップ部分とそれ以外の部分とでは、互いに異なる糸で編成される。このような構成では、同一の編組織に編成しても、視覚的および触覚的に統一性が得られず、美観および風合いが低くなってしまう。これに対してスカラップ部分だけでなく全体に熱接着糸を編込むことが考えられるが、全体に熱接着糸を編込むと、滲出した溶融物が被覆糸の表面に付着して全体に広がり、柔軟性が損なわれるうえ、被覆糸ではなく溶融物が肌に触れることになり、風合いが悪化してしまう。さらにこのような構成では、伸縮性を有するレース編地を実現することができない。また逆に熱接着糸を全く用いない構成も考えられるが、そのような構成では、糸同士の交差部の全てにおいて、糸同士がずれやすく、格子が歪みを生じて美観が損なわれてしまうおそれがある。
【０００５】
したがって本発明の目的は、美観が良好であり、かつ風合いが良好であるラッセルストレッチレース編地および編レース製品を提供することである。
【課題を解決するための手段】
【０００６】
本発明は、複数のループ状部分を有するラッセル編の鎖編組織を形成する鎖編糸と、
弾発的に伸縮する伸縮性を有し、鎖編組織に編込まれて鎖編組織に伸縮性を与えるための伸縮糸を備え、
前記伸縮糸は、鎖編糸との交差部の一部で、鎖編糸の接着性を利用して鎖編糸と接着される伸縮糸とを備えることを特徴とするラッセルストレッチレース編地である。
【０００７】
また本発明は、鎖編糸同士の交差部の一部が、鎖編糸の接着性を利用して互いに接着されていることを特徴とする。
【０００８】
また本発明は、鎖編糸と伸縮糸との交差部の接着率が、鎖編糸同士の交差部の接着率より高いことを特徴とする。
【０００９】
また本発明は、鎖編糸は、溶融温度の低い材料から成る繊維を含む糸であることを特徴とする。
【００１０】
また本発明は、前記ラッセルストレッチレース編地を用いて製造されることを特徴とする編レース製品である。
【発明の効果】
【００１１】
請求項１記載の本発明によれば、伸縮性を有する伸縮糸が、鎖編組織に編込まれて鎖編組織に伸縮性が与えられ、伸縮性を有するラッセルストレッチレース編地（以下単に「レース編地」という）が得られる。また鎖編糸と伸縮糸との交差部の一部が接着され、鎖編糸と伸縮糸との大きな位置ずれが防がれ、鎖編糸と伸縮糸との位置ずれに起因する格子の歪みが防がれる。たとえばレース編地の縫製または裁断などの製造過程に起因する外力、着用または洗濯などの使用状態に起因する外力が作用しても、格子の歪みが防がれて格子の形状が維持され、美観の良好なレース編地が得られ、しかもその優れた美観を長期にわたって保つことができる。しかもレース編地全体に編込まれる鎖編糸の接着性を利用して、鎖編糸と伸縮糸とを接着しているので、部分的に異なる糸が用いられる構成ではなく、視覚的および触覚的に統一性が得られ、美観および風合いが損なわれることはない。また鎖編糸と伸縮糸との交差部の全てが接着される場合のように、伸縮性および柔軟性が損なわれてしまうことがなく、伸縮性が維持されかつ風合いの良好なレース編地が得られる。ここで風合いとは、手触りを意味しており、良好な風合いとは、柔軟性を有する手触りを意味する。このように美観が良好でありかつ風合いが良好である、伸縮性のレース編地が得られる。
【００１２】
請求項２記載の本発明によれば、鎖編糸同士の交差部の一部が互いに接着されているので、鎖編糸同士の大きな位置ずれが防がれ、鎖編糸同士の位置ずれに起因する格子の歪みが防がれる。しかもレース編地全体に編込まれる鎖編糸の接着性を利用して、鎖編糸と伸縮糸とを接着しているので、部分的に異なる糸が用いられる構成ではなく、視覚的および触覚的に統一性が得られ、美観および風合いが損なわれることはない。
【００１３】
請求項３記載の本発明によれば、鎖編糸と伸縮糸との交差部の接着率が、鎖編糸同士の交差部の接着率より高い。これによって糸の交差部全体の接着率を低く抑え、柔軟性を保ったうえで、格子の歪みに影響しやすい鎖編糸と伸縮糸との位置ずれをできるだけ防ぎ、美観を保つことができる。
【００１４】
請求項４記載の本発明によれば、鎖編糸は、溶融温度の低い材料から成る繊維を含んでいる。鎖編糸は、この溶融温度の低い繊維によって接着性を有する構造であり、鎖編糸による糸同士の接着することができる。
【００１５】
請求項５記載の本発明によれば、前述のような美観が良好であり、かつ風合いの良好なレース編地を用いて編レース製品が製造されるので、美感および風合いの優れた高品質の編レース製品を得ることができる。
【発明を実施するための最良の形態】
【００１６】
図１は、本発明の実施の一形態であるラッセルストレッチレース編地（以下、単に「レース編地」という）２０の一部を示す編成組織図である。図２は、鎖編糸２１および熱接着糸２３以外の糸を省略してレース編地２０を示す編成組織図である。これらの図１、図２は、理解を容易にするために編成組織を模式的に示したものであって、レース編地２０の実物の編組織は、第１ループ状部分２４および第２ループ状部分２５の曲率半径が小さく、各糸２１，２２，２３が極めて近接または接触した状態となる。また図１には、理解を容易にするために、鎖編糸２１に左下がりの斜線のハッチングを付し、伸縮糸２３に右下がりの斜線のハッチングを付して示す。また図２は、各糸２１，２３の厚みを省略して示す。
【００１７】
また本発明において、各糸２１〜２３によって編成された編地を前駆体編地と称する。レース編地２０は、前駆体編地が加熱されたものである。さらにレース編地２０を用いて製造される製品を編レース製品と称する。
【００１８】
レース編地２０は、経編地であってラッセル編みされるラッセル編地であり、かつ伸縮性を有するストレッチ編地である。レース編地２０は、鎖編糸２１と、挿入糸２２と、伸縮糸２３とを含む糸によって編成され、各糸２１〜２３によって複数の格子が形成され、各格子にそれぞれ囲まれる複数の透孔が形成される。このレース編地２０では、格子の形状および配置によってレース模様が形成される。またレース編地２０は、単位面積あたりに配置される糸の量が密な柄部と、単位面積あたりに配置される糸の量が疎な下地部とを有し、これらの柄部および下地部の形状および配置によって柄模様が形成される。このような柄模様入りのレース編地２０は、たとえば女性用肌着などの編レース製品を製造するために用いられる。
【００１９】
図１に示すようにレース編地２０は、複数のループ状部分２４，２５を有するラッセル編の鎖編組織１９を形成する鎖編糸２１と、弾発的に伸縮する伸縮性を有し、鎖編組織１９に編込まれて鎖編組織１９に伸縮性を与えるための伸縮糸２３とを備えている。またレース編地２０は、挿入糸２２を有しており、鎖編組織１９に編込まれている。鎖編糸２１は、経糸または地編編成糸と称される場合もある。また挿入糸２２は、緯糸と称される場合もある。
【００２０】
さらにレース編地２０では、鎖編糸２１と伸縮糸２３との交差部５０の一部で、鎖編糸２１の接着性を利用して接着されている。鎖編糸２１と伸縮糸２３との全ての交差部５０で接着されるのではなく、あくまで一部の交差部５０だけが接着されている。またレース編地２０では、鎖編糸２１同士の交差部５５の一部が、鎖編糸２１の接着性を利用して互いに接着されている。鎖編糸２１同士の全ての交差部５５が接着されるのではなく、あくまで一部の交差部５５だけが接着されている。またレース編地２０では、鎖編糸２１と伸縮糸２３との交差部５０の接着率が、鎖編糸２１同士の交差部５５の接着率より高い。接着率とは、交差部全数のうち接着される交差部数である。またレース編地２０では、鎖編糸２１と挿入糸２２との交差部が接着されていてもよいが、本実施の形態では、ほとんど接着されていない。
【００２１】
図３は、編成前の鎖編糸２１の一部を示す正面図である。図４は、レース編地２０を編成している鎖編糸２１の一部を示す正面図である。鎖編糸２１は、レース編地２０を編成している状態では、図１、図２に示すような形状であるが、図４には、理解を容易にするために直線状に延ばした状態で示す。鎖編糸２１は、伸縮性を有する芯糸３０に、被覆糸３１をらせん状に巻付けた糸である。芯糸３０は、熱可塑性合成樹脂から成る単繊維糸（フィラメント糸）であり、たとえばポリエステル系ポリウレタンから成る。被覆糸３１は、合成樹脂から成る複数の長繊維によって構成される長繊維糸（フィラメントヤーン）であり、たとえばポリアミド（商標名：ナイロン)から成る。
【００２２】
鎖編糸２１は、編成前の状態では、図３に示すように被覆糸３１同士が互いに接触し、芯糸３０が露出しないように、被覆糸３１によって覆われている。鎖編糸２１は、芯糸３０の伸縮性を利用し、図４に示すように伸張させた状態で編成されている。鎖編糸２１は、伸張された状態では、被覆糸３１間にらせん状の隙間が形成され、この隙間から芯糸３０が露出する状態となる。
【００２３】
挿入糸２２は、合成樹脂から成る複数の長繊維によって構成される長繊維糸（フィラメントヤーン）であり、たとえばポリアミド（商標名：ナイロン)、レーヨン、ポリエステルなどから成る。伸縮糸２３は、スパンデックスとも呼ばれる糸であり、伸縮性を有する材料から成る単繊維糸（フィラメント糸）であり、たとえばポリエステル系ポリウレタンから成る。
【００２４】
鎖編糸２１の芯糸３０と、伸縮糸２３とは、ともにポリエステル系ポリウレタンから成るが、互いに異なる種類のポリエステル系ポリウレタンから成っており、伸縮糸２３の溶融温度よりも芯糸３０の溶融温度が低い。芯糸３０の溶融温度は、被覆糸３１、挿入糸２２、伸縮糸２３の各溶融温度よりも低く、熱可塑性を有する。このように鎖編糸２１は、溶融温度の低い材料から成る芯糸３０を含む糸である。
【００２５】
図５は、本実施形態のレース編地２０の製造工程の一例を示すフローチャートである。まずステップａ０で、レース編地２０の編成に用いる各糸の選択、レース編地２０に形成すべき柄模様の決定および所望の編成組織を形成するための編地の設計が完了するなどして編地編成の準備が完了すると、ステップａ１に進み、レース編地２０の製造を開始する。
【００２６】
編地編成工程であるステップａ１では、ラッセル編機である編機を用いて、レース編地２０の前駆体となる前駆体編地を編成する。編機は、ステップａ０で設計される編立て順序に従って、鎖編糸２１に熱接着糸２３などの各糸２１，２２を編込んで、図１に示すレース編地２０と同様の編成組織の前駆体編地を編成する。
【００２７】
前駆体編地においては、鎖編糸２１および伸縮糸２３は、伸縮性を有している。編機は、伸縮性を有する糸を伸長させた状態で、編成動作を実行する。前駆体編地は、伸長状態で編込まれた糸の復元力によって、編成後に縮むこととなり、この伸縮性がレース編地２０まで維持されると、レース編地２０が伸縮性を有するストレッチレース編地となる。このように前駆体編地の編成が完了すると、ステップａ２に進む。
【００２８】
加熱工程であるステップａ２では、ステップａ１で編成された前駆体編地を、鎖編糸２１の芯糸３０の溶融温度以上であり、かつ芯糸３０以外の糸２２，２３，３１の溶融温度未満の温度まで加熱する。ステップａ２で前駆体編地を加熱するにあたっては、前駆体編地を伸張させ、鎖編糸２１が、図４に示すように伸長される状態で加熱される。これによって鎖編糸２１の芯糸３０が部分的に露出される状態で加熱されて溶融することになる。
【００２９】
したがって鎖編糸２１と伸縮糸２３との交差部５０のうち、伸縮糸２３が芯糸３０の露出する部分に接触している交差部５０だけにおいて、鎖編糸２１と伸縮糸２３とが接着される。また鎖編糸２１同士の交差部５５のうち、芯糸３０の露出する部分同士が接触している交差部５５だけにおいて、鎖編糸２１同士が接着される。
【００３０】
鎖編糸２１の芯糸３０と伸縮糸２３とは、種類は異なるが、共にポリエステル系ポリウレタンから成るので芯糸３０溶融されることによって容易に接着される。また芯糸３０同士も溶融することによって容易に接着される。これに対して、鎖編糸２１の被覆糸３１は、ポリアミドから成り、また挿入糸２２は、ポリアミド、レーヨンなどから成り、芯糸３０とは接着されにくい。したがって前述のような交差部５０，５５の一部だけが接着され、鎖編糸２１と挿入糸２２との交差部はほとんど接着されない。さらに鎖編糸２１同士の交差部５５は、芯糸３０が露出する部分同士が接触していなければ接着されないので、鎖編糸２１同士の交差部５５接着率は、鎖編糸２１と伸縮糸２３との交差部５０の接着率よりも低くなる。
【００３１】
このように前駆体編地を加熱して、鎖編糸２１と伸縮糸２３との交差部５０の一部を接着させるとともに、鎖編糸２１同士の交差部５５の一部を接着させて、レース編地２０を形成し、ステップａ３に進む。ステップａ３では、形成したレース編地２０を精練もしくは染色した後、ファイナルヒートセットとも呼ばれる熱処理を行って形態を固定し、レース編地２０の製造手順を終了する。ステップａ２で前駆体編地を加熱することによって、鎖編糸２１の芯糸３０は溶融するので、伸縮性が損なわれるが、伸縮糸２３は、溶融温度未満までしか加熱されないので、伸縮性を維持することができる。したがってレース編地２０は、伸縮性を有している。
【００３２】
このような本実施の形態のレース編地２０によれば、伸縮性を有する伸縮糸２３が、鎖編組織１９に編込まれて鎖編組織に伸縮性が与えられており、伸縮性を有するレース編地を実現することができる。また鎖編糸２１と伸縮糸２３との交差部５０の一部が接着され、鎖編糸２１同士の交差部５５の一部が互いに接着されている。これによって鎖編糸２１と伸縮糸２３との位置ずれ、および鎖編糸２１同士の位置ずれが防がれ、格子の歪みが防がれる。たとえばレース編地の縫製または裁断などの製造過程に起因する外力、着用または洗濯などの使用状態に起因する外力が作用しても、格子の歪みが防がれて格子の形状が維持され、美観の良好なレース編地が得られ、しかもその優れた美観を長期にわたって保つことができる。
【００３３】
しかもレース編地２０全体に編込まれる鎖編糸２１の接着性を利用して、鎖編糸２１と伸縮糸２３とを接着し、鎖編糸２１同士を接着しているので、部分的に異なる糸が用いられる構成ではなく、視覚的および触覚的に統一性が得られ、美観および風合いが損なわれることはない。さらに芯糸３０を被覆糸３１で覆った鎖編糸２１を伸長させ、芯糸３０の露出する部分で接着しているので、芯糸３０の溶融物で被覆糸３１の表面が覆われてしまうことがなく、レース編地２０およびこれを用いて製造される編レース製品を肌に接触させたとき、芯糸３０の溶融物が肌に接触せずに、被覆糸３１が肌に接触する。被覆糸３１は、前述のような紡績糸であり、複数の単繊維の集まりであるので、柔らかいソフトな感触が得られ、良好な風合いが保たれる。ここで風合いとは、手触りを意味しており、良好な風合いとは、柔軟性を有しかつソフト感を有する手触りを意味する。
【００３４】
また鎖編糸２１と伸縮糸２３との交差部５０および鎖編糸２１同士の交差部５５の全てが接着される場合のように、伸縮性および柔軟性が損なわれてしまうことがなく、伸縮性が維持されかつ風合いの良好なレース編地が得られる。さらに鎖編糸２１と伸縮糸２３との交差部５０の接着率が、鎖編糸２１同士の交差部５５の接着率より高い。これによって糸の交差部５０，５５全体の接着率を低く抑え、柔軟性を保ったうえで、格子の歪みに影響しやすい鎖編糸２１と伸縮糸２３との位置ずれをできるだけ防ぎ、美観を保つことができる。このように美観が良好でありかつ風合いが良好である、伸縮性のレース編地が得られる。またこのような高品質のレース編地２０を用いて編レース製品を製造すれば、高品質の編レース製品を得ることができる。
【００３５】
前述の加熱工程における加熱条件は、鎖編糸２１の芯糸３０が溶融するとともに、芯糸３０以外の糸の脆性化を含めて特性変化が防がれる加熱条件に設定される。また加熱工程における加熱条件は、芯糸３０が糸としての形態を保てる程度の温度に加熱する加熱条件に設定されることが好ましい。これによって芯糸３０の溶融物が編地の表面に表れないようして、肌に接触しにくくすることができる。
【００３６】
加熱条件は、たとえば加熱温度と、加熱時間とが設定される。芯糸３０が溶融する最低溶融温度をＢ１とし、最低溶融温度で加熱したときに軟化するまでの時間をＤ１とする。また芯糸３０以外の糸の特性が変化する最低特性変化温度をＢ２とし、最低特性変化温度で加熱したときに特性が変化するまでの時間をＤ２とする。この場合、本実施形態では、加熱工程での加熱温度をＢ３とし、加熱時間をＤ３とすると、Ｂ１＜Ｂ３＜Ｂ２、Ｄ１＜Ｄ３＜Ｄ２に設定される。さらにＢ３をできるだけＢ１に近い値とし、Ｄ３をできるだけＤ１に近い値とすることによって、芯糸３０の糸としての形態を保ちやすくすることができる。
【００３７】
本実施形態では、芯糸３０として１０デニール以上３００デニール以下、好ましくは１０デニール以上５０デニール以下のポリエステル系熱可塑性ポリウレタン弾性糸を用いる。また１７０℃以上、１９５℃以下の加熱温度で、３０ｓｅｃ以上９０ｓｅｃ以下の加熱時間、熱処理する。これによって芯糸３０を溶融させるとともに、残余の糸が特性変化することを防ぐことができる。
【００３８】
たとえば加熱時間を一定にした場合、加熱温度を１７０℃未満とすると、溶融した芯糸３０による接着力が小さくなる。また加熱温度が１９５℃を超えると、芯糸３０の糸としての形態を保持しにくくなるうえ、芯糸３０以外の糸の特性が変化してしまうおそれがある。これに対して本実施形態では、上述したように加熱温度を１７０℃以上、１９５℃以下とすることで、上述した問題が生じることを防ぐことができる。
【００３９】
芯糸３０は、細いほど接着部が点接点に近くなって小さくなり、風合いが良くなり、太くなるほど接着部が大きくなって風合いが損なわれる。芯糸３０太くしてかつ良好な風合いを保つために、被覆糸３１を太くすることが考えられるが、鎖編糸２１が太くなり、レース編地の透け感が損なわれてしまう。また芯糸３０は、細いほど、強度が小さくなり、太いほど、強度が大きくなる。したがって芯糸３０が、１０デニール未満の細い糸である場合、強度が小さくなりすぎる問題を有し、３００デニールを超える太い糸である場合、風合いが損なわれる問題を有する。芯糸３０を、１０デニール以上３００デニール以下にすることによって、強度的に不足がなくかつ良好な風合いが得られる。同様の観点で、芯糸３０を、１０デニール以上５０デニール以下にすることが好ましい。
【００４０】
またレース編地２０は、前述のように交差部５０，５５の一部が接着されているので、糸のほつれの進展を防ぐ効果がある。したがってたとえばレース編地２０を、モチーフカットおよびフリーカットなどと呼ばれるように、任意の形状の裁断することができるようになる。
【００４１】
図６は、本発明の実施の他の形態のレース編地２０Ａを示す編成組織図である。図６には、鎖編糸２１および伸縮糸２３以外の糸を省略して示す。また図６は、各糸２１，２３の厚みを省略して示す。図６のレース編地２０Ａは、図１〜図５のレース編地２０と類似しており、対応する部分に同一の符号を付し、異なる構成だけ説明し、同一の構成の説明を省略する。図１〜図５のレース編地２０では、図２に示すようにラン止め部４２が形成される構成としたが、図６のレース編地２０Ａは、挿入糸２２を横糸として用い、図６に示すように、ラン止め部４２のない構成とする。また本発明の実施の形態として、ラン止め部４２の少ない構成とすることもできる。
【００４２】
本発明のレース編地２０Ａは、前述のように各交差部５０，５５の一部が接着されており、糸のほつれを防ぐことができるので、ラン止め部４２を形成しないまたは少ない構成とすることが可能である。ラン止め部４２のないまたは少ない構成とすれば、鎖編糸２１の横渡りを無くしまたは少なくし、美観を向上して品質を向上することができる。
【００４３】
前述の実施の形態は、本発明の例示に過ぎず、構成を変更することができる。たとえば各糸２１〜２３の材質などは、適宜変更することができる。
【図面の簡単な説明】
【００４４】
【図１】本発明の実施の一形態であるレース編地２０の一部を示す編成組織図である。
【図２】鎖編糸２１および熱接着糸２３以外の糸を省略してレース編地２０を示す編成組織図である。
【図３】編成前の鎖編糸２１の一部を示す正面図である。
【図４】レース編地２０を編成している鎖編糸２１の一部を示す正面図である。
【図５】本実施形態のレース編地２０の製造工程を示すフローチャートである。
【図６】本発明の実施の他の形態のレース編地２０Ａを示す編成組織図である。
【符号の説明】
【００４５】
１９  鎖編組織
２０，２０Ａ  レース編地（ラッセルストレッチレース編地）
２１  鎖編糸
２２  挿入糸
２３  伸縮糸
２４  第１ループ状部分
２５  第２ループ状部分
３０  芯糸
３１  被覆糸
５０，５５  交差部
Ｃ  コース方向
Ｗ  ウエール方向
【図１】
2008280627.tif 000003
【図２】
2008280627.tif 000004
【図３】
2008280627.tif 000005
【図４】
2008280627.tif 000006
【図５】
2008280627.tif 000007
【図６】
2008280627.tif 000008